(57)【特許請求の範囲】
【請求項１】
乳児または小児用の乳首状物であって、
当該乳首状物は、
歯列弓が載りかつ咬合面を定める平坦なプレート（１０）を有し、
少なくとも１つの歯列弓の前面に当接するように位置する口腔前庭スクリーン（４０、４５）を有し、前記プレート（１０）は、前方に向かい、該口腔前庭スクリーン（４０、４５）で終端しており、
口から前方に突出する手段（５０、６０、７０）を有し、該手段は、前記口腔前庭スクリーンの前面に固定されており、
当該乳首状物の特徴は、当該乳首状物が、該プレートの後部に接続しそこから後方へ突出するニップル（２０）を有し、当該乳首状物が、乳児または小児の口の中で、舌および口蓋と協同しかつ吸引の動作と類似の動作を刺激するように作用しているとき、該ニップルが舌の後部と重なり合っていることである、
前記乳首状物。
【請求項２】
突出するニップルが弾性的な手段（３０）によってプレートの後部に接続されており、該弾性的な手段は、該ニップルが口腔前庭スクリーンから離れる方に動くことを可能にすると同時に、戻り力を該ニップルに付与し、該ニップルを該口腔前庭スクリーンに向かうように強いることを特徴とする、請求項１に記載の乳首状物。
【請求項３】
口腔前庭スクリーンが、
咬合面の上側に配置された上部（４０）と、
咬合面の下側に配置されかつ該上部に対して後方にオフセットされた下部（４５）とを、
有することを特徴とする、請求項１または２に記載の乳首状物。
【請求項４】
口腔前庭スクリーンの上部と下部との間のオフセット（δ）が約１ｍｍ〜３ｍｍであることを特徴とする、請求項３に記載の乳首状物。
【請求項５】
実質的に垂直な壁（８０）がプレートの後方の縁部と一体に形成され、かつ、口腔前庭スクリーンと協同して、歯列弓を受けるためのアライナーを定めていることを特徴とする、上記の請求項１〜４のいずれか１項に記載の乳首状物。
【請求項６】
該プレート（１０）が、概してＵ形状であって、歯列弓の後方の端部へと後方に向かって延びるリムを持っていることを特徴とする、上記の請求項１〜５のいずれか１項に記載の乳首状物。
【請求項７】
プレート、口腔前庭スクリーン、およびニップルが、一体に成形されることを特徴とする、上記の請求項１〜６のいずれか１項に記載の乳首状物。
【請求項８】
プレートの表面が研磨手段を有することを特徴とする、上記の請求項１〜７のいずれか１項に記載の乳首状物。
【請求項９】
口から前方に突出する手段が、唇の前方の面を押圧するシールド（５０）またはハンドルリング（６０）を有することを特徴とする、上記の請求項１〜８のいずれか１項に記載の乳首状物。
【請求項１０】
口から前方に突出する手段が、乳児のボトルを閉鎖するためのエレメント（１００、１１０）を有し、かつ、当該乳首状物は、その内部を長手軸方向に通過するチャネル（９０）を有して、乳児または小児がボトルに含まれる液体を吸引することを可能にしていることを特徴とする、請求項１〜９のいずれか１項に記載の乳首状物。
【発明の詳細な説明】
【０００１】
本発明は、概しては、乳児および小児用の乳首状物（teat）に関する。より正確には、本発明は次のように実施され得る。即ち、
・乳児または幼い小児を落ち着かせるために与えられるタイプの吸引（または、おしゃぶり）用の乳首状物として、または、
・乳児のボトル用の乳首状物としてである。
【０００２】
ゴムなどの材料から作製されるおしゃぶり（pacifier）は以前から知られており、該おしゃぶりは、小児または乳児の舌と協同する中心ニップルを有する。このようなおしゃぶりは、概して、唇の外側表面を支持するシールドと、リングハンドルとを備える。
【０００３】
おしゃぶりの主要な機能は、小児の気をそらすか、または小児をなだめること（従って、語は「pacifier(なだめるもの)」)である。改良されたモデルのおしゃぶりもまた存在し、これによって補助的な機能（例えば、有効成分を投与することであり、小児がおしゃぶりのニップルを吸引している間に該有効成分を飲み込むこと）が実行され得る。
【０００４】
このようなおしゃぶりは、落ち着かない小児の当面の問題に対して比較的有効な解決策となり得るが、とは言え、小児の口の発達する形状に極めて悪影響を与え得る。特に広く知られた問題は、上部の切歯と下部の切歯との間にすき間を作ることにある。なぜなら、中心ニップルが小児の切歯の発達に対して障害となるからである。
【０００５】
おしゃぶりの過度の使用によって小児の口に生じ得るダメージを制限するための、特別な形状を有するおしゃぶりも公知である。このようなおしゃぶりの例は、次の文献に見出される。WO 96/20687（AlanenとVarrella）、およびFR 2 705 885（Pick）。
【０００６】
これらのおしゃぶりの特徴的な手段は、吸引による力を静的に分配するエレメントに本位がある。これらのおしゃぶりが、従来のおしゃぶり（該おしゃぶりは、下部と上部の歯列弓の中間部分同士の間に係合する中心ニップルを有する）よりも、小児の口への害が少ないと言うことは可能である。それでもやはり、これらのおしゃぶりは、口の奇形の原因に対して不完全な応答にすぎない。
【０００７】
口器の奇形の主要な原因の１つは、口の、不完全な全体的稼動にある。神経−咬合リハビリテーション（ＮＯＲ）における最も進んだ研究は、口器のバランスの取れた発達を達成することにおいて、口の機能化を刺激することの重要な役割を示している（特にPlanas教授による研究「La rehabilitation neuro-occlusale」（Neuro-occlusal rehabilitation）を参照のこと）。
【０００８】
長期間にわたって行われた実験観察からは、顎口腔系をできる限りたくさん機能させ、出生からそのようにさせることが調和の取れた歯列の発達に有益であるという仮説を立証することが、従って、可能となっている。
【０００９】
残念ながら、現代の採食習慣は、顎口腔系の刺激を促進しない。乳児に与えられるパンがゆおよびやわらかい食物、ならびに現代食物の概してやわらかい性質は、この系を部分的かつ不十分にしか刺激しない。
【００１０】
例として、観察され得る結果は、十分に発達していない顔面の頭骨（即ち、下顎が上顎からかなり離れて後ろに位置したままである）、または、歯（顎の横方向の動作が存在しないことに起因して、十分に侵食されておらず、従って、上顎の歯が下顎の歯と互いに動かないように詰め合うことに起因して顎が共にロックすることを導く傾向がある）を含んでいる。
【００１１】
上述の奇形を矯正するために、アライナー（整列器）などの口腔器具が知られている。このような器具に関連した問題は、より早期の介入が口器で実施されるほどより効果的であることが認識されていても、概して、幼い小児がこれらの器具を十分に受け入れないことである。
【００１２】
この不適切な拘束を減少させるために、「ハイブリッド」装置が知られており、該装置は、矯正アライナーの特定の特徴を再現し、かつ、小児が把持するためのリングを備えるおしゃぶりの形態で提供される。このような装置の例は、文献FR 2 595 046（Giordanno）およびEP 0 400 217（Bergersen）に見出される。
【００１３】
それにもかかわらず、幼い小児はこれらの装置を十分に受け入れない。なぜなら、これらは、拘束として単に作用するだけで、乳房での授乳を想起する満足感（吸引することと結びついている）を提供しないからである。
【００１４】
いずれにしても、これらの装置は、上述の奇形の問題に対する不完全な解決策でしかない。なぜなら、
・第一に、幼い小児が十分にこれらの装置を受け入れず、その結果、これらの装置は、この小児がある年齢（発達が既に進行している年齢）に達したときに一度だけ使用され得るからである。これらの装置は、従って、予防的ではなく、治療的であり、これらによって奇形の発現を回避することはできない。
・第二に、このような装置は、それらの機能が特定の器官（例えば、歯列弓）を所望のポジションにホールドすることに限定されるので、当然に「静的」であるからである。従って、このような刺激が歯列の良好な発達において重要な要因であることが上記で言及されていても、このタイプの装置は顎口腔系の機能化を刺激しない。
【００１５】
このような装置が発展した道程は、文献US 5 814 074 にも記載されており、この文献はおしゃぶりを開示しており、該おしゃぶりは、歯列弓を位置決め（ポジショニング）するためのエレメントを有するだけでなく、乳児の舌の先端と協同するために、おしゃぶりの後部から突出するエレメントも有する。
【００１６】
しかしながら、この発展は顎口腔系の機能化を刺激するのに十分な解決策を提供せず、US 5 814 074のおしゃぶりに限っては、吸引によって達成されるのと同様な顎口腔系の機能化は、生じさせない。なぜなら、このおしゃぶりは、舌の後部（the back of the tongue）または口蓋と干渉しないからである。
【００１７】
最後に、小児の舌の機能化を刺激する試みが行われている。文献EP 0 199 005（Rodam SA）はおしゃぶりを教示しており、該おしゃぶりでは、小児の口が乳房によって刺激される方法をある程度まで再現するため、かつ、下部の歯列弓の水平動作を促進するために、乳首状物が弾性的な手段に固定されている。しかし、このような装置は、口の動作を刺激するという点で有利であり得るが、これは、歯列弓の任意の適切な位置決めを提供しない。
【００１８】
従って、乳児および幼い小児によって使用されることができ、次の作用を同時に示す、乳首状物に対する必要性があることが理解できる。
・咀嚼または吸引の間に行われる動作と類似の動作を生じることによって、顎口腔系の様々な部分の機能化を刺激すること。および、
・該部分（特に、２つの歯列弓）を互いに対して適切に位置決めすること。
【００１９】
本発明の目的はこの必要性を満たすことである。
この目的を達成するために、本発明は乳児または小児用の乳首状物を提案しており、当該乳首状物は、歯列弓が載りかつ咬合面を定めるプレートを有し、該プレートは、前部に向かい、口腔前庭スクリーンで終端し、該スクリーンに対しては、少なくとも１つの歯列弓が所望のポジションにおいて支持するものとなり、該プレートは、口から前方に突出する手段に固定されており、当該乳首状物の特徴は、当該乳首状物が該プレートの後部から突出するニップルを有し、該ニップルが舌と協同して吸引の動作と類似の動作を刺激するためにあることを特徴とする。
【００２０】
本発明の乳首状物の好ましい非限定的な態様は以下の通りである：
突出するニップルは、弾性的な手段によってプレートの後部に接続されている；
口腔前庭スクリーンは、
咬合面の上側に配置された上部と、
咬合面の下側に配置されかつ該上部に対して後方にオフセットされた下部とを有する；
口腔前庭スクリーンの上部と下部との間のオフセットは約１ミリメートル（ｍｍ）〜３ｍｍである；
実質的に垂直な壁は、プレートの後方の縁部と一体に形成され、かつ、口腔前庭スクリーンと協同して、歯列弓を受けるためのアライナーを定めている；
該プレートは、概してＵ形状であって、歯列弓の後方の端部へと後方に向かって延びるリムを持っている；
プレート、口腔前庭スクリーン、およびニップルは、一体に成形される；
該乳首状物が乳児または小児の口の適所にあるとき、ニップルが舌の後部（rear portion）と面している；
プレートの表面は、研磨手段を有する；
口から前方に突出している手段は、唇の前方の面を押圧するシールドまたはハンドルリングを有する；
口から前方に突出する手段は、乳児のボトルを閉鎖するためのエレメントを有し、かつ、当該乳首状物は、その内部を長手軸方向に通過するチャネルを有して、乳児または小児がボトルに含まれる液体を吸引することを可能にしている。
【００２１】
本発明の他の態様、目的、および利点は、以下の添付の図面を参照しながら、好ましい実施態様の以下の説明を読むことでさらに明らかとなるだろう。
【００２２】
図１は、本発明のおしゃぶりを示す。このおしゃぶりは次のものを有する。
・概して平坦なＵ形状の水平なプレート１０。該プレートはその凹端部が口の前部に面するように意図されており、該プレートのＵ形状のリムの端部は後方に向けられている。プレートの２つの主要な面（上面および下面）は、わずかに研磨材であるように製作され得る（例えば、適切な表面状態の鋳型を使用することによって、または適切な表面コーティングを堆積させることによって）。プレート１０は、その２つの面上にそれぞれ、小児の２つの歯列弓を受けることを意図されている。従って、これは咬合面（bite plane）を構成する。
・該プレートの後方のニップル２０。該ニップルの中心はプレート１０と実質的に同一の面に配置されている。
・ニップル２０を該プレートの後部に接続するための、弾性的な接続部分３０。本態様における該部分３０とプレート１０との間の接続は、おしゃぶりの横断方向の中央にあるプレートの領域に備えられている。
・プレートの前方の縁部から、プレートの面に対して垂直に延びる壁４０。この壁をここでは「口腔前庭スクリーン」と呼んでおり、該スクリーンは、乳児または小児の上部の歯列弓がプレート１０の面に適切に位置決めされることを確実にするよう意図され、該プレート上に載る歯列弓はまた、口腔前庭スクリーンに対し支持するもの（アバットメント）となることを伴う。図１に示す態様では、プレート１０の後方縁部は、口腔前庭スクリーン４０に類似した任意の壁と接続していない。
・リジッドなプラスチック材料から作製され得るシールド５０。このシールドは、従来のおしゃぶりにおいて見られるものと類似のものである。これは、小児の唇の外側を支持することを意図されている。シールド５０は、その前方の面に、ハンドルリング６０を備え、該シールド５０は、第二の接続部分７０によってプレート１０の前部に接続されており、該接続部分７０は、約１センチメートル長であり、唇の閉鎖に干渉することを回避するよう、できる限り薄くなっている（使用する材料に依るが、約１ミリメートル厚）。
【００２３】
図２は、同一のおしゃぶりの後方の立面図である。この図は、プレート１０の後ろに配置されたニップル２０を示している。また、この図は、図１を参照して上記したような口腔前庭スクリーン４０（これは、該プレートの上方に配置されている）をも示している。このおしゃぶりは、さらに第二の口腔前庭スクリーン４５を有し、該第二のスクリーンは、同様に、プレートの前方の縁部領域から、プレートの面に対して実質的に垂直な方向に延び、かつ該プレートの下方に延びる。
【００２４】
図３は、図１および２のおしゃぶりの中央の長手軸方向の断面図であり、特に、２つの口腔前庭スクリーン４０および４５の相対的なポジションを示す。この図では、２つのスクリーンがプレート１０の互いに反対の側に垂直に配置されているが、互いに一直線になっていないことが理解できる。
【００２５】
対して、上部のスクリーン４０は、２つのスクリーンの後方の面の間でオフセットδ（これは約２ｍｍである）を定めるように、下部のスクリーン４５に対して少し前に出ている。また、このオフセットは、図４においても見ることができ、これは、上部および下部の歯列弓の適切な相対的な位置決めを促進することが目的であり、上部のアーチの歯が下部のアーチの歯とオーバーラップし得るように、上部のアーチは下部のアーチよりもわずかにさらに前方に進んでいることが必要である。
【００２６】
このオフセットは、口腔前庭スクリーン４０および４５の前方の部分にわたってのみ生じ、これらのスクリーンはＵ形状プレートのリムの後方端部に向かって延びているので、スクリーンのそれぞれの内側の面は、垂直方向に互いに合致して延びている歯列弓と接触し、上部と下部の歯列弓の間に確立されるオフセットは、もっぱら長手軸方向に対して関係するだけであり、口の中央軸には一致するようになっている。
【００２７】
乳児および非常に幼い小児用であることを特に意図し、かつ図に示さない態様では、口腔前庭スクリーン４５は、プレート１０の面に対して垂直な方向に、スクリーン４０と合致して延びている。
【００２８】
歯がまだ出ていない小児に関して、スクリーン４０と４５との間にオフセットδを提供する必要はない。さらに、オフセットを省くことによって、このおしゃぶりは、プレート１０の咬合面に関して対称となり得るので、幼い小児の口の中でおしゃぶりが逆様に配置されているといったリスクを何れも回避する。
【００２９】
上述のように、プレート１０は、その２つの面でそれぞれ、小児の上部および下部の歯列弓を受けるように意図されており、従って、咬合面を定める。また、これは、その厚さが口を閉じることと干渉しないように、できる限り精細でなければならない。実際、このプレートの厚さは、実質的に、矯正アライナーのプレートの厚さに等しい（すなわち、ミリメートルのオーダーを有する）。
【００３０】
プレート１０の面を研磨材にすることによって、歯が既に現れた小児に使用する場合、この小児の乳歯を侵食することが可能となる。このような侵食は、顎の横方向の動作を促進し、従って、顎口腔系が完全に機能することを促進する。
【００３１】
図５は、小児の口の中で本発明のおしゃぶりがどのように位置決めされるのかを示す。この図において、プレート１０のリムが頬の位置まで後方に延びているのが理解できる（そのポジションは破線によって確認される）。これによって、プレートの面が各歯列弓の全体の長さと協同することを保証することが可能となる。
【００３２】
また、上部のアーチＡ１は、プレートの上部を支持すると同時に、上部の口腔前庭スクリーン４０の後方の面に対する前方への支持になり、その間、下部のアーチＡ２は、下部の口腔前庭スクリーン４５（これは、上部の口腔前庭スクリーンのわずかに後方に位置する）に対する支持となるということも分かる。アーチＡ１とＡ２との間のオフセットδは、それらが適切に位置決めされることを保証する。上述のように、乳児または非常に幼い小児用のおしゃぶりに関して、ゼロのオフセットδを有することもまた可能である。
【００３３】
小児の唇は、口腔前庭スクリーン４０および４５のそれぞれの前方の面を支持するようになる。この接触は唇に作用し、その緊張を強化し、それによって、顎口腔系の全体的な刺激に寄与する。
【００３４】
プレートとニップルとの間にある接続部分３０は弾性的であって、これは、小児の舌によって引っ張られたときに、ニップルが後方に動くことを可能にするためにであり、しかし同時に、該ニップルを間断なくプレートに向かわせる（前進する）ことを強いるためにである。
【００３５】
接続部分３０のこの弾性は、該部分をプレート１０およびニップル２０に使用する材料よりも弾性的であるプラスチック材料から作製することによって、または、狭い断面を有するような方法でこの部分の形状を設計することによって、またもちろん、文献EP 0 199 055（Rodam SA）で教示されるような、任意の他の公知の手段（例えば、プレートに対して長手軸方向に動くことが可能であり、スプリングと結合した接続部分３０）を行うことによって獲得され得る。
【００３６】
接続部分３０の弾性は、ニップルと相互作用する、小児の動機付けを強めるのに役立ち、そして、乳房の挙動に似た動的な挙動を有する。ニップルとプレートの後部との間の距離は、ニップルが舌の後部と重なり合うように適合され、従って、小児の舌とニップルとの間での適切な協同が可能となる。
【００３７】
従って、本発明のおしゃぶりが次の機能を同時に達成することが理解できる。
・第一に、プレート１０の形状ならびに口腔前庭スクリーン４０および４５の形状によって、乳児または小児の口での歯列弓の適切な相対的な位置決めを提供する。
・第二に、顎口腔系を機能させる原因となる。従来の口腔器具とは異なり、この装置は静的に作動することを意図していない。対して、本発明の装置は顎口腔系の動的な機能化を強く刺激し、小児は、プレート１０の下方の下部のアーチＡ２を位置決めするために、下顎を前方に、かつ下部の口腔前庭スクリーン４５に対して動かさなければならないだけでなく、弾性の接続３０によっておしゃぶりに接続されたニップルが小児の舌を強く刺激する。この第二の刺激は、ある種の「原動力（motor）」を提供し、該原動力は、小児の顎口腔系を機能させ、小児は、舌および口蓋を介したニップルとの相互作用の過程において満足感を見出す。
・最後に、本発明のおしゃぶりは、従来のおしゃぶりと同様に作用して小児をなだめる。
【００３８】
図に示されない態様では、口腔前庭スクリーン４０および４５の前方の面で突出するポイントを具備して、これらの前方の面を押圧する唇の緊張をさらに強化することも可能である。
【００３９】
図６は、本発明のおしゃぶりの異なる態様を示し、この態様では、プレート１０は、その前方の縁部で口腔前庭スクリーン４０と結合しているだけでなく、別のスクリーン８０とも結合しており、該スクリーン８０は、実質的にスクリーン４０と平行であり、プレートの後方の縁部から延びている。この別の態様によれば、アライナーは、従って、小児の上部の歯列弓を位置決めするために、プレート１０の上面に構築されている。
【００４０】
プレートの後方の縁部から突出するスクリーン８０は、図６に示されるように、上方に向かってのみ突出し得るか、あるいは、下部の口腔前庭スクリーン４５と協同してプレートの下面にもまたアライナーを構築するためにプレートの面の両側から突出し得る。
【００４１】
説明したおしゃぶりは、任意の従来の手段を使用して製造され得る。当該おしゃぶりは、プラスチックまたはゴムの材料を成形して、プレート１０およびその縁部から突出する様々なスクリーンと、接続部分３０と、ニップル２０とを有するアセンブリを構築し、他方、後続の工程で、接続部分７０、シールド５０、およびリング６０がおしゃぶりの残部に組み立てられ得ることによって作製され得る。複数の材料を使用した成形を想定することも可能であり、その場合、接続部分３０を構築する材料の弾性は、他の成形される部分の弾性よりも大きなもので有り得る。単一の材料の単一のワンピース成形物として全おしゃぶりを作製することも可能であり、部分３０の弾性は、このとき、適切な形状（例えば、その断面が狭いもの）を該部分に与えることによって獲得される。
【００４２】
上述のように、本発明はまた、図７に示すように、乳児のボトル用の乳首状物として実施され得る。このような状況では、シールド５０およびハンドルリング６０は、ボトル上に固定するためのリング１００および中空ドーム１１０と置き換えられており、該ドームは、プレートと接続する部分７０と一緒に一体に成形される。
【００４３】
乳首状物の他のエレメント（プレート、スクリーン、ニップル）は、おしゃぶりに与えられるエレメントに類似のものであるが、プレート１０をまっすぐに通過する長手軸方向のチャネル（導管路）９０、接続部分３０、およびニップル２０（これらは、ボトルと合致したドーム１１０の内部キャビティーに開口しているオリフィス９１を、ニップルの表面を通って開口している第二のオリフィス９２に接続するようになっている）は除く。
【００４４】
乳児のボトル用の乳首状物としてのこの実施態様において、乳児または小児の歯列弓は、従って、採食中に位置決めされる。おしゃぶりに関する上述の異なる態様の全てが本発明に従う乳首状物に適用可能である。
【００４５】
図８ａおよび８ｂは、ニップル２０の２つの態様を示す。図８ａのニップルは、従来の球状形状を有する。図８ｂのニップルは、ニップルの上部と子供の口蓋との間での協同を容易にするために、上部が平坦化されている。このニップルは任意の人工工学的な形状を有することができ、例えば、小児の口蓋の側部と効果的に協同するように、ニップルは、その上部の両側に張り出し得る。
【００４６】
上述のように、本発明は、乳児および幼い小児用である。小児の口の大きさの相関関係として、様々な大きさの乳首状物を提供することが可能である。
【００４７】
例示として、新生児に使用する乳首状物は、約３センチメートルの最大の幅（歯列弓の後方の端部で測定したもの）を有する歯列弓と適合性であるプレートを有するべきである。このような状況では、口腔前庭スクリーン４０の２つの後方の端部（これらは、実質的に互いに合致している）間の間隔は、それよりもわずかに大きくすべきである。なぜなら、スクリーンの２つの端部は、歯列弓の後方の端部の外側にあるからである。
【００４８】
さらに、新生児用では、歯列弓の長さ（口の長手軸方向で測定した距離）は、約２センチメートルである。このとき、プレート１０は、長さがそれに匹敵するか、またはわずかに長くても良い。
【００４９】
図９ａおよび９ｂに示すように、図は、乳児または非常に幼い小児用のおしゃぶりを示し、プレート１０はまた、小児の口の前方の部分においてのみ延びてもよい。なぜなら、歯列弓の後方の端部に向かって配置される歯は、概して、３歳未満では生えていないからである。このような状況では、プレート１０は、乳首状物の中央軸の両側に、約１．５センチメートルにわたって延びている（対して、スクリーン４０はさらに後方に延び得る）。
【００５０】
概しては、プレート１０の幅は、プレートの中央領域において約５ミリメートルであり得（幅
【００５１】
【外１】
0004562289.tif 000002
【００５２】
１）、プレートが歯列弓の後方の端部に向かって延びる場合（特に、三歳以上の年齢の小児用、これは、図１０ａおよび１０ｂに示す装置に対応している）、これはプレートの端部に向かって約８ミリメートルであり得（幅
【００５３】
【外２】
0004562289.tif 000003
【００５４】
２）、従って、プレートの幅は、歯または歯列弓の幅に相当する。
【００５５】
スクリーン４０と４５との間のオフセットδに起因して、プレート１０の幅（その中央領域において約５ミリメートルである）は、δに対応する値で、プレートの下面で減少する。
【００５６】
上述のように、本発明のおしゃぶりまたは乳首状物は、プラスチック材料（例えば、ゴム、シリコーンなど）のワンピース成形物として製作され得る。ミリメートルオーダーを有するプレート１０の厚さは、歯および歯列弓の作用に抵抗し、かつ、特に、使用時に穴が開くことを回避するのに十分強いように選択されるが、しかし、厚さは、歯列弓の間のすき間の進展を回避するためにできる限り小さくしなければならない。
【００５７】
上述のように、ニップル２０は、小児の舌の後部にわたって延びなければならず、従って、その長さＬは、約２．５センチメートルであり得、それによって、該ニップルは、その後方の縁部がスクリーン４０の後方約３センチメートルにあるように、後方に延びている。
【００５８】
ニップルは、代表的には、Ｕ形状プレート１０のリムの後方の端部を越えて延びるように、乳首状物の後部に向かって延び、３歳より大きい小児用を意図した乳首状物に関して（図１０ａおよび１０ｂ）、該リムは口腔前庭スクリーン４０の後ろに約３センチメートル延び得、該ニップルは該リムの端部を越えて約５ミリメートル突出するようなものである。
【００５９】
上部の口腔前庭スクリーン４０の高さｈ１は約８ミリメートルであり得、下部の口腔前庭スクリーン４５の高さは、３歳未満の小児用で約５ミリメートル（図９ｂにおける高さｈ２）、それ以上の年齢の小児用で約８ミリメートル（図１０ｂにおける高さｈ２’）で有り得る。
【００６０】
図９ａ〜１０ｂは、プレート１０の前部から延びる口腔前庭スクリーン４０および４５だけでなく、スクリーン８５をも有するおしゃぶりを示し、該スクリーン８５は、プレート１０の面と約４５°の角度を形成するために、下方および後方の両方に傾斜した配向でプレート１０の後方の縁部から延びる。
【００６１】
このようなスクリーン４５の高さｈ（すなわち、乳首状物の長手軸方向の断面における、その最大範囲）は、約６ミリメートルであり得る。
【００６２】
このニップルは、授乳中の乳房と同様の方法で小児の口を満たすために、上側から見ると形状が実質的に円形であり得る。図９ａおよび１０ａによれば、ニップルは、従って、約２．５センチメートルの直径を有するほぼ円の形態である。
【００６３】
このニップルは、プレート１０の面と一直線に延びる必要はないが、該面に対して約３０°の角度で上方に向かって延び得、従って、載置したニップルが約２．５センチメートルの長さにわたって後方に、かつ約１．５センチメートルの高さにわたって上方に延びる。
【図面の簡単な説明】
【図１】  図１は、本発明のおしゃぶりの後方からの斜視図である。
【図２】  図２は、長手軸方向の断面III−IIIおよびIV−IVを規定する、同一のおしゃぶりの後方から立面図である。
【図３】  図３は、断面III−IIIで示される、図１および２のおしゃぶりの図である。
【図４】  図４は、断面IV−IVで示される、同一のおしゃぶりの図である。
【図５】  図５は、本発明のおしゃぶりが小児の口の中でどのように配置しているのかを示す、理論上の図である。
【図６】  図６は、本発明のおしゃぶりの異なる態様の、後方からの斜視図である。
【図７】  図７は、乳児のボトル用のおしゃぶりの乳首状物の斜視図である。
【図８】  図８ａおよび８ｂは、本発明の乳首状物のニップルに対して２つの可能な形状を示す。
【図９】  図９ａおよび９ｂは、それぞれ、３歳未満の小児用の本発明のおしゃぶりの平面図および長手軸方向の断面図である。
【図１０】  図１０ａおよび１０ｂは、３歳よりも大きい小児用の本発明のおしゃぶりを示す、図９ａおよび９ｂの図に対応した２つの図である。
【図１】
0004562289.tif 000004
【図２】
0004562289.tif 000005
【図３】
0004562289.tif 000006
【図４】
0004562289.tif 000007
【図５】
0004562289.tif 000008
【図６】
0004562289.tif 000009
【図７】
0004562289.tif 000010
【図８】
0004562289.tif 000011
0004562289.tif 000012
【図９】
0004562289.tif 000013
0004562289.tif 000014
【図１０】
0004562289.tif 000015
0004562289.tif 000016